(57)【要約】      （修正有）【課題】生体弁の短時間の置換及び修復のための医療システムを提供する。【解決手段】システムは、人工弁５０２、及び人工弁を所望の位置に保持する及び/又は安定させるために、腱索及び/又は弁尖を収集し及び配置するための装置を含み、装置は複数の腱索及び/又は弁尖を把持するためのユニット８０２を含む。システム及び/又は装置は、生体弁の迅速かつ容易な置換、一時的な人工弁の迅速かつ容易な位置決め、及び、医療従事者が手術／医療的侵襲に関する決断を下し、手術／医療的侵襲を準備し及び/又は実行するためのより多くの時間を、可能にする。【選択図】図８
2019217292.tif 000002
【特許請求の範囲】
【請求項１】
生体弁の短時間の置換および修復のための医療システムであって、
該医療システムは、人工弁（５０２）;及び
所望の位置で前記人工弁(５０２)を保持し及び/又は安定させるために、腱索を収集して配置するための装置を含み：
該装置は、複数の腱索及び/又は弁尖を把持し、及び複数の腱索及び/又は弁尖を装置に向かって引っ張るユニットを含むことを特徴とする、医療システム。
【請求項２】
前記人工弁を送達するための操縦自在なカテーテル；及び／又は
弁輪形成装置;及び／又は
ロケーション弁エキスパンダー;及び／又は
前記人工弁の方へ適所で前記腱索をロックするためのクリップをさらに含むことを特徴とする、請求項１に記載のシステム。
【請求項３】
人工弁(５０２)を所望の位置に保持する及び/又は安定させるために、腱索及び/又は弁尖を収集し及び配置するための装置であって、前記装置は：
複数の腱索及び/又は弁尖を把持し、及び複数の腱索及び/又は弁尖を装置に向かって引っ張るユニットを含むことを特徴とする、装置。
【請求項４】
複数の腱索をつかむための前記ユニットは、フック、リング、及び/又は液体で満たされたバルーンを含むことを特徴とする、請求項３に記載の装置。
【請求項５】
前記人工弁は送達のために折り畳み自在、及び/又は、送達後に拡張自在であり、ここで前記装置が人工弁に付けられる又は人工弁と統合されることを特徴とする、請求項３又は４に記載の装置。
【請求項６】
複数の腱索及び/又は弁尖を把持するための前記ユニットは複数のフックを含み、前記フックが前記人工弁に沿って外部に等距離で配置されていることを特徴とする、請求項５に記載の装置。
【請求項７】
前記腱索及び／又は弁尖が収集され、前記人工弁の回転により前記人工弁の方へと配置されることを特徴とする、請求項３乃至６の何れか一つに記載の装置。
【請求項８】
前記人工弁は、前記人工弁の回転により、前記腱索及び前記生体弁に固定されることを特徴とする、請求項３乃至６の何れか一つに記載の装置。
【請求項９】
前記人工弁の前記回転はカテーテルの回転によって作動されることを特徴とする、請求項７乃至８の何れか一つに記載の装置。
【請求項１０】
クリップをさらに含むことを特徴とする、請求項３乃至９の何れか一つに記載の装置。
【請求項１１】
前記腱索及び／又は前記弁尖は、前記クリップで前記人工弁に向かって適所に維持されることを特徴とする、請求項１０に記載の装置。
【請求項１２】
前記クリップが螺旋形として成形されていることを特徴とする、請求項１０又は１１に記載の装置。
【請求項１３】
生体弁の短期間の置換のための、及び/又は、鼓動する心臓の手術中の一時的な使用のための、請求項１又は２に記載の医療システムの使用。
【請求項１４】
生体弁の短期間の置換のための、及び/又は、鼓動する心臓の手術中の一時的な使用のための、請求項３乃至１２の何れか一つに記載の装置の使用。
【請求項１５】
救命介入、急性の弁尖及び/又は腱索の破裂における介入の間の、請求項３乃至１２の何れか一つに記載の装置の使用。
【請求項１６】
心臓（１２）中の僧帽弁（１８）または大動脈弁（３４）などの生体弁を、短時間で置換するための人工弁（５０２）の送達方法であって、前記方法は、
前記生体弁の内部に前記人工弁（５０２）を位置決めする工程；所望の位置で前記人工弁（５０２）を保持し及び/又は安定させるために腱索を収集して配置するための装置の使用により、腱索及び／又は弁尖をまとめて前記人工弁（５０２）の方へと引っ張る工程を含み、前記装置は、複数の腱索及び/又は弁尖を把持、及び複数の腱索を装置の方へと引っ張るためのユニットを含む、ことを特徴とする方法。
【請求項１７】
前記人工弁（５０２）を取り囲むための、及び/又は、前記腱索及び/又は弁尖を前記人工弁（５０２）の方へと適所に維持するためのクリップを配置する工程をさらに含むことを特徴とする、請求項１６に記載の方法。
【請求項１８】
前記人工弁の回転により、複数の腱索及び／又は弁尖がまとめられることを特徴とする、請求項１６又は１７に記載の方法。
【請求項１９】
前記人工弁の前記回転は カテーテルの回転によって作動されることを特徴とする、請求項１７に記載の方法。
【請求項２０】
前記人工弁は、送達のために折り畳み自在、及び/又は、 送達後に拡張自在であることを特徴とする、請求項１６乃至１９の何れか一つに記載の方法。
【請求項２１】
前記カテーテルは、前記人工弁の送達のために、左心室から入り、及び、少なくとも部分的に左心房に入ることを特徴とする、請求項１６乃至２０何れか一つに記載の方法。
【請求項２２】
前記カテーテルは、前記弁の送達のために、鼠蹊部から入り、及び、大動脈を介して少なくとも部分的に上行大動脈に入ることを特徴とする、請求項１６乃至２０の何れか一つに記載の方法。
【請求項２３】
弁輪形成装置を挿入する工程;及び
前記弁輪形成装置を位置決めする工程さらに含む、請求項１６乃至２２の何れか一つに記載の方法。
【請求項２４】
前記人工弁が位置決めされた後に弁輪形成装置の挿入が実行されることを特徴とする、請求項２３に記載の方法。
【請求項２５】
前記人工弁を除去する工程をさらに含む、請求項２３又は２４に記載の方法。
【請求項２６】
前記弁輪形成装置の前記挿入及び位置決めの後、前記人工弁が除去されることを特徴とする、請求項２５に記載の方法。
【請求項２７】
複数の腱索をまとめる前記工程によって、追加の空間を、少なくとも２つの腱索と心臓の心室壁との間に生成する工程をさらに含む、請求項１６乃至２６の何れか一つに記載の方法。
【請求項２８】
前記追加の空間を通って適所へ弁輪形成装置を進める工程をさらに含む、請求項２７に記載の方法。
【請求項２９】
前記カテーテルが、２軸の操縦自在なカテーテルであることを特徴とする、請求項１６乃至２８の何れか一つに記載の方法。
【請求項３０】
前記カテーテルから押し出すことにより、及び、押し出し機で適所に押すことにより、前記クリップを配置する工程をさらに含む、請求項１６乃至２９の何れか一つに記載の方法。
【発明の詳細な説明】
【技術分野】
【０００１】
関連出願
本出願は、欧州特許出願第ＥＰ１３１５２７７４号および米国仮特許出願第６１／７５６，６３３号である２０１３年１月２５日に出願された特許出願「Ａ  ｍｅｄｉｃａｌ  ｄｅｖｉｃｅ  ａｎｄ  ｍｅｔｈｏｄ  ｆｏｒ  ｆａｃｉｌｉｔａｔｉｎｇ  ｓｅｌｅｃｔｉｏｎ  ｏｆ  ａｎ  ａｎｎｕｌｏｐｌａｓｔｙ  ｉｍｐｌａｎｔ」、欧州特許出願第ＥＰ１３１５２７７０号および米国仮特許出願第６１／７５６，６４９号である２０１３年１月２５日に出願された特許出願「Ａ  ｖａｌｖｅ  ｆｏｒ  ｓｈｏｒｔ  ｔｉｍｅ  ｒｅｐｌａｃｅｍｅｎｔ  ｆｏｒ  ｔａｋｉｎｇ  ｏｖｅｒ  ｔｈｅ  ｆｕｎｃｔｉｏｎ  ｏｆ，  ａｎｄ／ｏｒ  ｆｏｒ  ｔｅｍｐｏｒａｒｙ  ｏｒ  ｐａｒｔｉａｌ  ｓｕｐｐｏｒｔ  ｏｆ，  ａ  ｎａｔｉｖｅ  ｖａｌｖｅ  ｉｎ  ａ  ｈｅａｒｔ」、欧州特許出願第ＥＰ１３１５２７７１号および米国仮特許出願第６１／７５６，６６３号である２０１３年１月２５日に出願された特許出願「Ｔｅｍｐｏｒａｒｙ  ａｔｒｉｕｍ  ｓｕｐｐｏｒｔ  ｄｅｖｉｃｅ」、及び欧州特許出願第ＥＰ１３１５２７６８号および米国仮特許出願第６１／７５６，６７０号である２０１３年１月２５日に出願された特許出願「Ａ  ｓｙｓｔｅｍ  ｆｏｒ  ｃａｒｄｉａｃ  ｖａｌｖｅ  ｒｅｐａｉｒ」に関連する。上記出願は、あらゆる目的のためにその全体が引用により本明細書に組み込まれる。
【０００２】
発明の分野
本発明は概して、僧帽弁、大動脈弁、又は三尖弁などの心臓弁改善のための医療機器、同様にそのためのツール及び方法に関する。より具体的には、本発明は、生体弁の短時間の交換、支援、および／または修復のための医療システム、所望の位置に人工弁を保持および／または安定させるために、腱索及び／又は弁尖を収集し及び配置するための機器、及び心臓の生体弁の短時間の交換のために人工弁を送達する方法に関する。
【背景技術】
【０００３】
従来技術の記載
心臓外科手術の間、心臓は頻繁に停止され、灌流されないので、弁の置換および修復に使用される時間を短縮することが重視される。
【０００４】
したがって、修復又は置換の間、修復又は置換される生体弁を一時的に置換する人工弁を有することは非常に有用である。
【０００５】
更に、弁を置換する及び／又は修復するための時間の量を減らすことが重視されるので、決定を下し、手術／医療的侵襲を準備し及び／又は実行するための時間は多くない。したがって、手術または医療的侵襲の準備及び／又は実行について、決定を下すためのより多くの時間を有することも有用であろう。これは、特に置換又は修復の品質向上につながるので、重要である。
【０００６】
人工弁の使用はＵＳ２００７０２１９６３０  Ａ１中で開示された。しかしながら、例えばこの文書における図５及び［０１２９］で見られるように、仮弁体（ｔｅｍｐｏｒａｒｙ  ｖａｌｖｅ）は、僧帽弁から離して置かれる。更に、この文書の［００７５］で見られるように、僧帽弁の分離ユニットは、適切な機能に必要である。さらに、この明細書中に記載される実施形態おいて、フローは、導管を通って配向されており（例えば導管１３０、１４０、３３０、３４０、４３０、４４０を参照されたい）、ゆえに生体弁を通って、配向されていない。
【０００７】
したがって、仮弁体機能の構造は、全体としていくぶん複雑である。更に、人工弁が生体弁から離れて置かれるので、それは、例えば人工弁の位置決めおよび固定のための、生体弁の部品を利用することができない。
【０００８】
ＷＯ２０１２／０９５１５９  Ａ２において、リング状人工弁は、心臓の弁輪の中への挿入のために弁尖が固定される環状体を含む房室の心臓弁を恒久的に置換することについて、開示されている。
【０００９】
ＵＳ２００７／２５５３９６  Ａ１において、ガードルは、心臓弁の腱索（ｃｈｏｒｄａｅ  ｔｅｎｄｉｎａｅ）を取り囲むことについて開示されている。
【００１０】
ＵＳ２００７／０３８２９３  Ａ１において、内視鏡下での弁輪形成のための装置および方法が開示されている。向かい合った弁尖は、恒久的な結合前に適所に一時的に把持され、及び保持されるかもしれない。置換弁はＵＳ２００７／０３８２９３  Ａ１において開示されていない。
【００１１】
したがって、単純で費用効率の良い構造である仮弁体を有することは有用であり得る。一時使用のための人工弁の迅速で容易な固定化および安定のための手段を有することはさらに、有用であり得る。さらに、生体弁の迅速な及び／又は容易な一時的な置換のための手段を有することは、有用で有り得る。さらに、一時的な人工弁の迅速で容易な位置決めのための手段を有することは、有用で有り得る。加えて、人工弁を所望の位置に保持する及び／又は安定させるための腱索を、収集し及び位置決めのための手段を有することは、有用で有り得る。
【００１２】
よって、改良されたシステムまたは装置、特に、増大した柔軟性および費用効果を可能にする生体弁の修復及び／又は置換のためのシステム又は装置は、有用であろう。
【発明の概要】
【課題を解決するための手段】
【００１３】
従って、本発明の例は、好ましくは、添付の特許請求の範囲に従い、医療システム、腱索を収集する装置、及び方法を提供することにより、上述のものの単独、又は任意の組み合わせなど、当該技術分野における１以上の欠陥、欠点、又は問題を、軽減し、緩和し、又は排除することに努める。
【００１４】
開示の態様によれば、腱索及び／又は弁尖の収集のための装置、医療システム、並びにその送達の方法が開示され、それによって生体弁の迅速で容易な置換、一時的人工弁の迅速で容易な位置決め、および生体弁の修復及び／又は置換の品質向上が達成され得る。
【００１５】
開示の１つの態様によれば、生体弁の短時間の置換及び修復のための医療システムが提供される。システムは、人工弁を所望の位置に保持する及び／又は安定させるために、腱索及び／又は弁尖を収集し及び配置するための人工弁及び装置を含む。装置は複数の腱索及び／又は弁尖を把持するためのユニットを含む。
【００１６】
開示の別の態様によれば、人工弁を所望の位置に保持する及び／又は安定させるために、腱索及び／又は弁尖を収集し及び位置決めするための装置が提供される。装置は複数の腱索及び／又は弁尖をつかむためのユニットを含む。
【００１７】
開示のまた別の態様によれば、心臓中の僧帽弁または大動脈弁などの生体弁を、短時間で置換するための人工弁の送達方法が提供される。方法は生体弁の内部で人工弁の位置を決める工程を含む。方法は、人工弁の固定化のために、複数の腱索及び／又は弁尖を人工弁の方へと引っ張る工程をさらに含む。方法はまた、人工弁を取り囲むための、及び／又は、腱索及び／又は弁尖を人工弁の方へと適所に維持するためのクリップを配置する工程を含む。方法はまた、心臓に対して経先端的な（ｔｒａｎｓ‐ａｐｉｃａｌ）アクセスを獲得する工程を含み得る。更に方法は、経先端的な経路を介して、心臓の左心室へと、カテーテルを進める工程を含み得る。あるいは方法は、大動脈の経路を介して、前記心臓（１２）の上行大動脈の内部へとカテーテルを進める工程を含み得る。さらに方法は、少なくとも部分的にカテーテルを生体弁に通って渡す工程を含む。加えて、方法は、カテーテルを取り外すことを含み得る。
【００１８】
本開示の更なる例は、従属請求項において定義され、ここで、開示の第２の、及び次の態様の特徴は、必要な変更を加えて第１態様に関するものである。
【００１９】
本開示の幾つかの例は、手術方法について決定を下すためのより多くの時間を提供する。
【００２０】
本開示の幾つかの例は、手術を準備するためのより多くの時間を提供する。
【００２１】
本開示の幾つかの例は、手術を実行する、又は医療的侵襲のためのより多くの時間を提供する。
【００２２】
本開示の幾つかの例は、生体弁の修復または置換の品質向上を提供する。
【００２３】
本開示の幾つかの例は、単純な及び／又は信頼できる仮弁体の機能を提供する。
【００２４】
本開示の幾つかの例は、チューブが弁輪形成に干渉しないことを提供する
【００２５】
本開示のいくつかの例は、仮弁体の確実な固定を提供する。
【００２６】
本開示のいくつかの例は、生体弁の迅速な及び／又は容易な置換を提供する。
【００２７】
本開示のいくつかの例は、仮弁体の迅速な及び／又は容易な位置決めを提供する。
【００２８】
本開示のいくつかの例は、単純な及び／又は迅速なクリップの配備が可能とされることを提供する。
【００２９】
本開示のいくつかの例は、腱索の迅速で容易な収集を提供する。
【００３０】
本開示のいくつかの例は、仮弁体の迅速で容易な固定を提供する。
【００３１】
本開示のいくつかの例は、弁傍の（ｐａｒａｖａｌｖｕｌａｒ）漏出を最小化するために迅速で容易な締付け（ｔｉｇｈｔｅｎｉｎｇ）を提供する。
【００３２】
本開示のいくつかの例は、誤りをおかしにくい手順、およびゆえに弁の迅速で容易な固定を提供する。
【００３３】
本開示のいくつかの例は、弁と腱索を確実に固定することを提供する。
【００３４】
本開示のいくつかの例は、解剖学的に正確な位置のインプラントまたは弁の正確な位置決めを可能にする。
【００３５】
本開示のいくつかの例は、手順又は手術が高精度で実行されることを提供する。
【００３６】
本開示のいくつかの例は、容易な及び／又は低侵襲性の送達方法を提供する。
【００３７】
本開示のいくつかの例は、腱索の迅速で容易な収集を提供する。
【００３８】
本開示のいくつかの例は、患者の身体の外から仮弁体を、送達し、位置決めし、及び／又は固定する、迅速で容易な方法を提供する。
【００３９】
本開示のいくつかの例は、仮弁体と腱索を確実に固定することを提供する。
【００４０】
本開示のいくつかの例は、鼓動する心臓の手術を可能にする。
【００４１】
本開示のいくつかの例は、漏出の減少を提供する。
【００４２】
本開示のいくつかの例は、例えば鼓動する心臓手術の間の逆流の最小化を提供する。
【００４３】
用語「含む（ｃｏｍｐｒｉｓｅｓ／ｃｏｍｐｒｉｓｉｎｇ）」は、本明細書で使用される場合に、明示された特徴、整数、工程、又は要素を特定すると見なされるが、１以上の他の特徴、整数、工程、要素、又はそれらの群の存在又は追加を妨げないことが、強調されねばならない。
【図面の簡単な説明】
【００４４】
本発明の例が可能である、これら及び他の態様、特徴、及び利点は、本発明の例の以下の説明、添付の図面に行われる言及から明白であり、且つ解明されることとなる。
【００４５】
【図１Ａ】心臓を持つ患者の概略的な断面図である。
【図１Ｂ】僧帽弁および大動脈弁の概略的な透視図である。
【図２】僧帽弁の概略的な断面図である。
【図３Ａ】左心室に挿入されたカテーテルを備えた僧帽弁の概略的な断面図である。
【図３Ｂ】大動脈弓および部分的に上行大動脈に挿入されたカテーテルを備える大動脈弁の概略的な断面図である。
【図４Ａ】部分的に左心房にカテーテルを備えた僧帽弁の概略的な断面図である。
【図４Ｂ】部分的に上行大動脈にカテーテルを備えた大動脈弁の概略的な断面図である。
【図５Ａ】弁が送達されている僧帽弁の概略的な断面図である。
【図５Ｂ】弁が送達されている大動脈弁の概略的な断面図である。
【図６Ａ】僧帽弁の短時間の置換のための弁を備える僧帽弁の概略的な断面図である。
【図６Ｂ】大動脈弁の短時間の置換のための弁を備える大動脈弁の概略的な断面図である。
【図７Ａ】生体弁の短時間の置換のための弁の原理の概略図である。
【図７Ｂ】生体弁の短時間の置換のための弁の原理の概略図である。
【図７Ｃ】生体弁の短時間の置換のための弁の原理の概略図である。
【図８】腱索を収集し弁の方へ配置するための収集ユニットの概略的な透視図である。
【図９】弁を固定するために使用されるクリップの概略図である。
【図１０】腱索を収集して弁の方へ配置するための様々な収集ユニットの透視図である。
【図１１】腱索を収集して弁の方へ配置するための様々な収集ユニットの透視図である。
【図１２Ａ】腱索を収集して弁の方へ配置するための収集ユニットの透視図であって、該ユニットは２つのフック、アーム又はバルーンを含む。
【図１２Ｂ】腱索を収集して弁の方へ配置するための収集ユニットの透視図であって、該ユニットは２つのフック、アーム又はバルーンを含む。
【図１３Ａ】腱索の収縮を示す部分的な断面における概略的な透視図である。
【図１３Ｂ】腱索の収縮を示す部分的な断面における概略的な透視図である。
【発明を実施するための形態】
【００４６】
好ましい例の記載
本発明の具体的な例はここで、添付の図面を参照すると共に記載される。しかし、本発明は、多くの異なる形態で実施され得るものであり、且つ、本明細書で説明される例に限定されると解釈されるべきではない。むしろ、これらの例は、本開示が徹底的且つ完全なものとなり、且つ本発明の範囲を当業者に十分に伝えるように、提供される。添付の図面にて例証される例の詳述において使用される用語は、本発明を制限するようには意図されていない。図中、同様の数字は、同様の要素を指す。
【００４７】
以下の記載は、心臓の生体弁に、及び、特に僧帽弁および大動脈弁に適用可能な本開示の例に注目する。しかし、本開示は本出願に限定されるものではないが、例えば三尖弁又は肺動脈弁を含む、多くの他の生体弁に適用されることもあることを理解されたい。
【００４８】
図１Ａは、左心室（１４）および右心室（１６）を含む断面図において示される心臓（１２）を有する患者（１０）を例証する。本開示の概念は、例えば、僧帽弁（１８）に適用されるのに適しており、これは左心室（１４）又は大動脈弁（３４）に血液を供給する。三尖弁（１５）および肺動脈弁（１７）も図１Ａにおいて示される。図１Ｂ中にも示される生体僧帽弁（Ｎａｔｉｖｅ  ｍｉｔｒａｌ  ｖａｌｖｅ）（１８）は、左心室１４への血流を選択的に許可し妨げる弁輪２０および１対の弁尖２２、２４を含んでいる。弁尖２２および２４は、それぞれの乳頭筋（３０、３２）から上方へ拡張する、腱索（ｃｈｏｒｄａｅ  ｔｅｎｄｉｎａｅ）、すなわち腱索（ｃｈｏｒｄａｅ）又は  腱（ｃｈｏｒｄｓ）（２６、２８）により接着のために支援される。血液は僧帽弁（１８）を介して左心室１４に入り、大動脈弁３４を介して心臓１２の収縮の間に排出される。大動脈弁３４は、大動脈および大動脈に接続した器官への血流を制御する。本開示はまた三尖弁（ｔｒｉｃｕｓｐｉｄ）（１５）に適用可能であってもよいことが認識されるだろう。
【００４９】
図２は、僧帽弁（１８）および周囲の断面図である；左心房（４４）、左心室（１４）、腱索（２６、２８）および僧帽弁（１８）は、この図で見ることができる。
【００５０】
図３Ａはカテーテル３１０を示し、これは、僧帽弁（１８）などの生体弁の短時間の置換のための弁を送達するために利用されている。カテーテル３１０は、任意の既知の方法で心臓の左心室１４へ挿入され得る。カテーテル３１０はいくつかの例において、経先端的（ｔｒａｎｓａｐｉｃａｌ）な経路を介して挿入される。これらの例において、心臓への経先端的なアクセスは獲得され、カテーテル３１０は、経先端的な経路を介して心臓の左心室１４へ進められることになる。
【００５１】
一旦カテーテルが左心室（１４）に入ると、図４Ａに例証されるように、カテーテルは、少なくとも部分的に僧帽弁（１８）を通され、部分的に左心房に入れられるように、進められる。カテーテル３１０は本手順中で使用されるすべての器具のための送達システムであり得る。したがって、カテーテル３１０は、長期使用のための腱索収集装置、交連ロケーティングツール（ｃｏｍｍｉｓｓｕｒｅ  ｌｏｃａｔｉｎｇ  ｔｏｏｌｓ）及び／又は輪状成形装置の送達のためにも利用され得る。その後、人工弁であり得る短時間の置換のための弁５０２は、生体僧帽弁（１８）の内部に位置決めされる。これは図５Ａに示される。弁（５０２）の送達を容易にし、且つ弁（５０２）の位置決めを可能にするために、弁（５０２）は、送達用に折り畳み自在であり及び／又は送達後に拡張自在であってもよい。これは、少なくとも部分的に可撓な弁の使用によって達成されてもよい。一例として、弁５０２のフランジは送達の間に可撓性であってもよい。一旦弁５０２が生体弁の内部に位置すると、弁（５０２）の固定のために、複数の腱索がまとめられて弁（５０２）の方へと引っ張られてもよい。
【００５２】
複数の腱索をまとめることは、幾つかの例において、少なくとも１つの腱索と心臓の心室壁の間の一時的な空間の生成のために、行われる。この一時的な空間内で、弁輪形成装置は、送達のために通過してもよい。故に、複数の腱索をまとめることにより、追加の空間が、例えば少なくとも２つの腱索と心臓の心室壁との間に生成されてもよい。追加の空間を通って、弁輪形成装置が適所に進められてもよい弁（５０２）が位置付けられた後に、弁輪形成装置の挿入を行うのが好ましい。
【００５３】
複数の腱索は、幾つかの例において、弁（５０２）の回転又は捻転によってまとめられてもよい。腱索をまとめるための弁（５０２）の回転は好ましくは、反時計回りの回転など、１つの方向に特定される。弁（５０２）の回転は、カテーテルを回転させることにより行われてもよい。一例として、２軸の操縦自在なカテーテル（５）は、弁（５０２）の回転を行うために使用され得る。
【００５４】
その後、弁（５０２）を囲むように、及び／又は弁（５０２）の方へ腱索を適所に維持するように、クリップが配置されてもよい。幾つかの例において、クリップは、カテーテル（３１０）から押し出すことにより、及び、押し出し機又は押し出しカテーテルにより適所に配置される。代替的に又は加えて、クリップは、特殊なクリップ誘導チューブにより送達されてもよい。カテーテル（３１０）はその後、弁輪形成装置などの、更なるインプラント又は装置の挿入のために取り外されるか、又は利用されてもよい。弁（５０２）は、弁輪形成装置の位置決めの間、生体弁の内部に残り得る。一旦、弁輪形成装置が恒久的な移植のために挿入され、位置決めされ、固定されると、一時的な、短時間の弁（５０２）は、除去される。
【００５５】
図３Ｂはカテーテル３１０を示し、これは、大動脈弁３４などの生体弁の短時間の置換のために弁を送達するために利用されている。カテーテル３１０は、大動脈弓を介して上行大動脈５２へ挿入され得る。これらの例において、カテーテルは例えば、大動脈弁３４での弁の送達のために、鼠蹊部から経大腿的（ｔｒａｎｓｆｅｍｏｒａｌ）に入り、及び、大動脈を介して少なくとも部分的に上行大動脈５２に入る。
【００５６】
一旦カテーテルが上行大動脈（５２）に入ると、図４Ｂに例証されるように、カテーテルは、少なくとも部分的に大動脈弁３４を通され、部分的に左心房（１４）に入れられるように、進められる。カテーテル３１０は本手順中で使用されるすべての器具のための送達システムであり得る。したがって、カテーテル３１０は、長期使用のための腱索収集装置、交連ロケーティングツール、及び／又は弁輪形成装置の送達のためにも利用され得る。その後、人工弁であり得る短時間の置換のための弁５０２は、生体大動脈弁（３４）の内部に位置決めされる。これは図５Ｂに例証される。弁（５０２）の送達を容易にし、且つ弁（５０２）の位置決めを可能にするために、弁（５０２）は、送達用に折り畳み自在であり及び／又は送達後に拡張自在であってもよい。これは、少なくとも部分的に可撓な弁の使用によって達成されてもよい。一例として、弁５０２のフランジは送達の間に可撓性であってもよい。一旦弁５０２が生体弁の内部に位置すると、弁（５０２）の固定のために、複数の腱索がまとめられて、弁（５０２）の方へ引っ張られてもよい。
【００５７】
複数の腱索をまとめることは、幾つかの例において、少なくとも１つの腱索と心臓の心室壁の間の一時的な空間の生成のために、行われる。この一時的な空間内で、弁輪形成装置は、送達のために通過してもよい。故に、複数の腱索をまとめることにより、追加の空間が、例えば少なくとも２つの腱索と心臓（１２）の心室壁との間に生成されてもよい。
追加の空間を通って、弁輪形成装置（３０）が適所に進められてもよい
【００５８】
弁（５０２）が位置付けられた後に、弁輪形成装置（３０）の挿入を行うのが好ましい。  複数の腱索は、幾つかの例において、弁（５０２）の回転又は捻転によってまとめられてもよい。腱索をまとめるための弁（５０２）の回転は好ましくは、反時計回りの回転など、１つの方向に特定される。弁（５０２）の回転は、カテーテル（５）を回転させることにより行われてもよい。一例として、２軸の操縦自在なカテーテル（５）は、弁（５０２）の回転を行うために使用され得る。
【００５９】
その後、弁（５０２）を囲むように、及び／又は弁（５０２）の方へ腱索を適所に維持するように、クリップが配置されてもよい。幾つかの例において、クリップは、カテーテル（３１０）から押し出すことにより、及び、押し出し機又は押し出しカテーテルにより適所に配置される。代替的に又は加えて、クリップは、特殊なクリップ誘導チューブにより送達されてもよい。カテーテル（３１０）は弁輪形成装置などの、更なるインプラント又は装置の挿入のために取り外されるか、又は代替的に利用されてもよい。弁（５０２）は、弁輪形成装置の位置決めの間、生体弁の内部に残り得る。一旦弁輪形成装置が挿入され、位置決めされ、固定されると弁（５０２）が除去される。
【００６０】
図６Ａおよび図６Ｂにおいて示される弁（５０２）は心臓の生体弁の短時間の置換のためのものであり、弁５０２は移植に際して生体弁を通じて位置決めされ得る。弁（５０２）は、少なくとも部分的に折り畳み自在及び／又は少なくとも部分的に拡張自在なチューブ（６０２）を備える。更に、弁（５０２）はフランジ（６０４）を備える。フランジ（６０４）は、送達中に可撓性であってもよく、好ましくは、一旦弁（５０２）が移植されるとある程度硬くなる。フランジ（６０４）は、弁が僧帽弁（１８）のものである場合に、例えば左心房から左心室（１４）までの場所から弁（５０２）が移動するのを、且つ、弁が大動脈弁のものである場合に、例えば上行大動脈から大動脈弓（ａｏｒｔｉｃ  ａｒｃ）までの場所から弁（５０２）が移動するのを妨げる。
【００６１】
いくつかの例において、弁（５０２）は、入口側（７０４）および出口側（７０６）を有するチューブ（６０２）を含む一方向弁である。これは図７Ａ−Ｃに示される。チューブ（６０２）は可撓性でもよい。可撓性チューブの使用がチューブ（６０２）と他の弁輪形成装置の間の干渉を妨げるため、これは都合がよい場合がある。代替的に、チューブ（６０２）は堅くてもよく、又は少なくともある程度堅くてもよい。弁（５０２）は更に、チューブ（６０２）の入口側（７０４）に取り付けられ、且つチューブ（６０２）の内部に位置付けられる、可撓性内部スリーブ（７０２）を備えてもよい。これは図７Ａに示される。可撓性内部スリーブ（７０２）は、ゴムなどの可撓性材料で作られてもよい。図７Ａにおいて、チューブ（６０２）の内部の圧力は、チューブ（６０２）の入口側（７０４）の圧力に類似している。したがって、可撓性内部スリーブ（７０２）は、出口側（７０５）と接する可撓性内部スリーブ（７０２）の外側に対するもののように、入口側（７０４）と接するスリーブ（７０２）の内部に対する、多かれ少なかれ同じ圧力を有し、故に、弁を部分的に開放状態にする。図７Ｂにおいて、チューブ（６０２）内部の圧力、可撓性内部スリーブ（７０２）の外側の圧力、及び左心室（１４）における圧力が、チューブ（６０２）の入口の圧力、可撓性内部スリーブ（７０２）の内側の圧力、及び左心房（４４）における圧力よりも大きくなるように、チューブ（６０２）の内部の圧力は増加した。チューブ（６０２）内部の圧力がチューブの入口の圧力及び／又はその外側の圧力よりも大きくなる場合、弁（５０２）は、可撓性内部スリーブ（７０２）が共に収縮することで閉じる。図７Ｃにおいて、チューブ（６０２）内部の圧力と可撓性内部スリーブ（７０２）の外側の圧力が、チューブ（７０４）の入口の圧力又はその外側の圧力、及び可撓性内部スリーブ（７０２）の内側の圧力よりも小さい。チューブ（６０２）内部の圧力がチューブの入口の圧力又はその外側の圧力よりも小さくなる場合、弁（５０２）と可撓性内部スリーブ（７０２）が開く。故に、単純であるが、確実な置換弁は、図７Ａ−７Ｃに例証されるような弁（５０２）の構築によって得られる。フランジ（７０８）も図７Ａで見ることができる。フランジ７０８は拡張自在かもしれない。一例において、フランジ（７０８）は拡張自在なバルーンである。
【００６２】
図８Ａは、収集ユニット（８０２）が、腱索を収集して弁（５０２）の方へと配置するために使用されるという一例を示す。収集ユニット（８０２）は、チューブ（６０２）と共に、１つの必須部分を形成し得る。代替的に、収集ユニット（８０２）は、チューブ（６０２）に取り付け自在であるか、又は該チューブに取り付けられてもよい。幾つかの例において、収集ユニット（８０２）は、単一アーム又は単一フックを備える。代替的に又は加えて、収集ユニット（８０２）は、リング及び／又は流体で満ちたバルーンを備える。流体を充填可能な又は流体で満ちたバルーン（８０４）を含む収集ユニット（８０２）が、図８Ｂに示される。収集ユニット（８０２）は、流体を充填可能な又は流体で満ちたバルーン（８０４）に加えて、単一アームを備える。
【００６３】
幾つかの例において、弁（５０２）は、腱索を収集して弁（５０２）の方へと配置するための、収集ユニット（８０２）を備える。弁は、腱索を収集して弁（５０２）の方へと配置することにより、所望の位置にて固定、保持、及び／又は安定され得る。故に、弁（５０２）の確実な固定が達成され得る。
【００６４】
収集ユニット（８０２）の使用によって、生体弁の迅速且つ容易な置換が達成され得る。更に、仮弁体の迅速且つ容易な位置決めが、得られる場合もある。それ故、収集ユニットの使用は、手術に関連する決定を行うためのより多くの時間、手術の準備のためのより多くの時間、及び／又は手術又は医療介入を行うためのより多くの時間を与えることに貢献する場合がある。故に、弁の置換又は修復の全体的な性能が向上するかもしれない。腱索によって固定される、適切な寸法を持つ弁が、任意の心室壁に対して圧力をかけないため、弁（５０２）の形状と弁（５０２）の正確な寸法測定と共に、腱索による弁の固定は、都合がよい場合がある。故に、心室壁に対する損傷はない。弁（５０２）の外部に小さな漏出が存在し得るが、これは、数分、数時間、又は数日などの短期間の間、許容可能であり得る。
【００６５】
弁は故に、特定の例において、腱索を収集して弁の方へ配置するための収集ユニットを備える場合がある。弁は故に、収集ユニットにより、及び腱索を前記弁の方へと配置することにより、所望の位置にて固定、保持、及び／又は安定され得る。一例において、収集ユニットはクリップを備え、腱索及び／又は弁尖は、前記クリップにより弁の方へと適所に維持される。クリップは螺旋形を形成するものでもよい。クリップは、特に螺旋形である場合に、収集ユニットと一体になるか、又は収集ユニットに接続されてもよく、別個の片ではない。従って、幾つかの例において、収集ユニット（８０２）はクリップを備える場合がある。図９はこうしたクリップ（９０２）を例証する。腱索は、クリップ（９０２）により弁（５０２）の方へと適所に維持される。クリップ（９０２）は、リング又はリング状の構造として形成されてもよい。代替的に、クリップ（９０２）は、螺旋形として形成又は成形されてもよい。それにより、クリップ（９０２）は、適所へと容易に回転することができる。回転は好ましくは、クリップなどの収集ユニットが、特に螺旋形である場合に収集ユニットと一体になると、弁と共に行われる。腱索及び／又は弁尖は、前記収集ユニットにより弁の方へと適所に維持され、且つ前記クリップにより固定される。クリップ（９０２）の単純な及び／又は迅速な配置がそれにより可能となるため、これは都合がよい場合がある。更に、クリップの確実な固定、単純な及び／又は迅速な配置が、可能になる。代替的に、クリップが、特に螺旋形である場合に、別個の片であり、且つ、弁と一体とならないか又はそれと接続されない場合に、収集ユニットは、適所へと別々に回転する場合がある。その後、クリップは、腱索及び／又は弁尖にて適所で後に（ｔｈｅ  ｌａｔｔｅｒ）固定するための収集ユニットに適用され得る。
【００６６】
図１０は、幾つかの例に係る、腱索を収集して弁（５０２）の方へ配置するための収集ユニットを持つ弁（５０２）を例証する。これらの例において、収集ユニットは、リング又はリング状の構造として成形される。リング状ユニット（１００２）は、送達のためにロッド状構造までに延長され、且つ、送達又は移植に際してリング状構造に変更自在であってもよい。故に、収集ユニットが送達を容易にするので、リングとして成形される収集ユニットを備えることが、都合の良い場合がある。
【００６７】
図１１は、幾つかの例に係る、腱索を収集して弁（５０２）の方へ配置するための収集ユニットを持つ弁（５０２）を例証する。これらの例において、収集ユニットは、流体で満ちたバルーン（１１０２）である。流体で満たされたバルーン（１１０２）はリング状でもよい。バルーンの使用により送達が容易となり、且つバルーンを安定させるために及び／又はバルーンに幾つかの剛性を与えるために流体が使用され得るので、収集ユニットとしての流体で満たされたバルーン（１１０２）の使用は、都合のよい場合がある。一例において、バルーンは、生体弁での送達に際して、又は送達後に、流体で満たされる。
【００６８】
図１２Ａは、幾つかの例に係る、腱索を収集して弁（５０２）の方へ配置するための収集ユニットを示す。これらの例において、収集ユニットは２つのフック（８０２、１２０２）又はアームを備える。代替的に、収集ユニットは、複数（４つなど）のフック又はアームを備える。フック又はアームは好ましくは、弁（５０２）の周囲で等距離に位置付けられ、即ち、フック又はアームは好ましくは、弁（５０２）に沿って等距離で外部に位置付けられる。流体を充填可能な又は流体で満ちた２つのバルーン（８０４、１２０６）を含む収集ユニットが、図１２Ｂに示される。収集ユニットは、流体を充填可能な又は流体で満ちたバルーン（８０４、１２０６）に加えて、２つのアームを備える。代替的に、腱索収集ユニットは、複数（例えば４つ）の、流体を充填可能な又は流体で満ちたバルーンを備える。流体を充填可能な又は流体で満ちたバルーンは好ましくは、弁（５０２）の周囲で等距離に位置付けられ、即ち、流体を充填可能な又は流体で満ちたバルーンは好ましくは、弁（５０２）に沿って等距離で外部に配置される。
【００６９】
幾つかの例において、収集ユニットは、弁（５０２）の回転中に腱索を収集して弁（５０２）の方へ配置する。回転は好ましくは反時計回りの回転である。弁（５０２）の回転は、２軸の操縦自在なカテーテルなどのカテーテルを回転させることにより作動され得る。故に、腱索の迅速且つ容易な収集が達成され得る。更に、弁の迅速且つ容易な固定が達成され得る。加えて、操縦で自在なカテーテルにより、患者の身体の外側からの腱索の迅速且つ容易な収集が、達成され得る。更に、時計回り又は反時計回りなどの回転方向を指定することにより、誤差が生じにくくなる手順、及び故に、弁の更に迅速且つ容易な固定が、得られることもある。加えて、弁（５０２）と腱索の確実な固定が達成され得る。
【００７０】
幾つかの例において、弁（５０２）は、弁尖を収集して弁（５０２）の方へと配置するための、収集ユニットを備える。これらの例において、弁（５０２）は、弁尖を収集して弁（５０２）の方へと配置することにより、所望の位置にて固定、保持、及び／又は安定され得る。一例において、弁（５０２）は、弁尖を収集して弁（５０２）の方へと配置することにより、並びに、腱索を収集して弁（５０２）の方へと配置することにより、所望の位置に固定、保持、及び／又は安定される。幾つかの例において、弁は、腱索と弁尖を収集して弁（５０２）の方へと配置するための収集ユニットを備える。
【００７１】
図１３Ａと１３Ｂは、腱索の収縮を例証する。図１３Ａは、フック、アーム、又はワイヤーを含む収集ユニットによる、腱索の収縮を例証する。操縦自在なカテーテル又はワイヤー（１３１０）の第１端部は、送達カテーテル（３１０）の副ルーメン（ｓｉｄｅ  ｌｕｍｅｎｓ）（１３０２）を出る。その後、操縦自在なカテーテル（１３１０）は、任意の心室壁（１３２０）に触れることなく、腱索（１３４０）を包囲するようにユーザーによって動かされ且つ操作される。カテーテル（１３１０）の端部は、進められ及び／又は回転されるように、送達カテーテル（３１０）から離れて心室壁（１３２０）の方へ向かう半径方向に移動する。
一旦カテーテル（１３１０）が全ての腱索（１３４０）を包囲し、３６０度の範囲の空間（ｃｏｖｅｒａｇｅ  ｏｆ  ｔｈｅ  ｓｐａｃｅ）が達成されると、操縦カテーテル又はワイヤー（１３１０）の端部ユニットが動かされ、それにより腱索（１３４０）をまとめる。動作は、カテーテル又は弁（５０２）の回転を含む場合があり、そこで、腱索を把持するカテーテルの端部の曲率は、弁の方へとそれらをまとめる。送達カテーテル（３１０）は、操縦自在なカテーテル又はワイヤー（３１０）の全体の配置中に定常的に保持される。
【００７２】
図１３Ｂは流体を充填可能な又は流体で満ちた２つのバルーンを備える収集ユニットによる、腱索（１３４０）の収縮を例証する。送達カテーテル（３１０）は２つの副ルーメンを持っており、それらは、送達カテーテル（３１０）の周囲で等距離で（即ち、１８０度離れて）配置される。２つのバルーンカテーテル（１３３０、１３３２）は、送達カテーテル（３１０）の副ルーメンを出る。その後、バルーンカテーテル（１３３０、１３３２）は、腱索（１３４０）を過ぎて心室壁（１３２０）の方へと操作及び移動される。
一旦２つのバルーンカテーテルが心室壁（１３２０）と腱索（１３４０）の間の位置にあれば、バルーンは膨張するか、又は流体で満たされてもよい。バルーンが膨張するか、又は流体で満たされると、バルーンは心室壁（１３２０）と腱索（１３４０）の間の空間を満たし、心室壁から遠ざけて中心の方へと及び互いの方へと腱索（１３４０）を押し、即ち、バルーンは腱索（１３４０）を閉じ込めて、生体弁を締めて、腱索（１３４０）を送達カテーテル（３１０）の方へと持っていく。バルーンの表面には溝が設けられ、この溝は、バルーンが完全に膨張する又は液体で満たされた場合に中空のチャンネルを形成する。その後、これらチャンネルは配置中にリング又は置換弁を誘導し得る。以下に、短時間の置換および生体弁の修復のための医療システムが記載されている。医療システムは弁（５０２）を含む。これらの例において弁（５０２）は人工弁である。更に、医療システムは、所望位置で人工弁を保持し及び／又は安定させるために、腱索を収集して配置するための装置を含んでいる。装置は複数の腱索及び／又は弁尖をつかむのためのユニットを含む。医療システムによって、生体弁の迅速で容易な置換が達成され得る。更に、一時的な人工弁の迅速で容易な位置決めは、達成され得る。さらに、医療システムの使用は、手術に関連する決定を行うためのより多くの時間、手術の準備のためのより多くの時間、及び／又は手術又は医療介入を行うためのより多くの時間を与えることに貢献する場合がある。
したがって、全体的性能、例えば、弁置換術が改良されるかもしれない。
【００７３】
幾つかの例において、医療システムは、人工弁を送達するための操縦自在なカテーテル；弁輪形成装置（弁の機能を向上させるため、弁輪形成を行う、即ち、弁の環を作り変えるために使用され得る）；人工弁に向かう位置で腱索をロックするための、ロケーション弁エキスパンダー（ｌｏｃａｔｉｏｎ  ｖａｌｖｅ  ｅｘｐａｎｄｅｒ）及び／又はクリップを備える。これにより、生体弁の迅速且つ容易な置換が可能となり得る。更に、それにより、一時的な人工弁の迅速且つ容易な位置決めを可能にし得る。
【００７４】
以下に、所望の位置で人工弁を保持し及び／又は安定させるために、腱索を収集して配置するための装置が記載される。装置は医療装置であってもよく、複数の腱索を把持するためのユニットを含む。装置によって、生体弁の迅速で容易な置換が達成され得る。更に、一時的な人工弁の迅速且つ容易な位置決めが、達成される場合もある。さらに、医療システムの使用は、手術に関連する決定を行うためのより多くの時間、手術の準備のためのより多くの時間、及び／又は手術／医療介入を行うためのより多くの時間を与えることに貢献する場合がある。したがって、例えば、弁置換術の全体的性能が改良されるかもしれない。
【００７５】
いくつかの例において、複数の腱索を把持するためのユニットは、アーム、フック、リング、及び／又は流体で満たされたバルーンを含む。これらの例は、腱索を把持し及び／又は収集する容易な方法を提供する。
【００７６】
いくつかの例において、人工弁は送達のために折り畳み自在である。あるいはまたはさらに、人工弁は送達後に拡張自在かもしれない。更に、装置は人工弁に取り付け自在であり得るし、又は統合可能であり得る。したがって、装置は,人工弁に取り付けられるか、又は統合され得る。これらの例はより容易でそれほど侵襲性でない送達に備える。
【００７７】
いくつかの例において、複数の腱索を把持するためのユニットは多くのフックを含む。フックの数は３、４または他の適切な数かもしれない。好ましくは、フックは人工弁の反対側面に位置決めされる。フックはさらに等距離で又は対称的に、人工弁に沿って外部に配置される。
【００７８】
幾つかの例において、カテーテル（３１０）は、弁（５０２）を送達するために、鼠径部から進入し、静脈経路を介して、経中隔的に右心房（４４）に進む。
【００７９】
本明細書に記載される医療システムは、生体弁の短期間の置換のために、及び／又は、鼓動する心臓の手術中の一時的な使用のために、利用され得る。本明細書に記載される装置は、生体弁の短期間の置換のために、及び／又は、鼓動する心臓の手術中の一時的な使用のために、利用され得る。弁（５０２）は、鼓動する心臓の手術中に利用されてもよい。故に、システム、装置及び／又は弁（５０２）は、鼓動する心臓の手術を可能にすることもある。更に、弁（５０２）は、救命介入、急性の弁尖及び／又は腱索の破裂における介入の間に利用されてもよい。
【００８０】
システム、装置、及び／又は弁（５０２）は、例えば鼓動する心臓の手術中に、漏出の減少、及び／又は逆流の最小化を提供し得る。更に、システム、装置、及び／又は弁（５０２）は、解剖学的に正確な位置でのインプラント又は弁（５０２）の正確な位置決めを可能にするかもしれない。更に、本明細書に記載される弁（５０２）を送達するために使用される手順は、仮弁体（５０２）の、高精度な送達、位置決め、及び固定を可能にする。
【００８１】
この開示内で、用語「短期間（ｓｈｏｒｔ−ｔｉｍｅ）」又は「短期間の置換（ｓｈｏｒｔ−ｔｉｍｅ  ｒｅｐｌａｃｅｍｅｎｔ）」が使用された。生体弁の短期間の置換及び/又は修復は、一時的な置換であると考慮される。そのような一時的な置換は、数分、数時間、又は可能であれば数日までの間続く置換であってもよい。短期間の置換は、内在的ではない、即ち、恒久的に移植されない、本明細書に記載される装置と方法を含む。短期間の置換装置は、使用後に身体から取り外されるように意図される。長期間の置換は、本明細書において、数日、数週間、数か月、又はそれよりも長い間続く置換を意味する。そのような長期間の置換は、内在的な弁輪形成装置などの、恒久的に移植され且つ身体から取り外しができないように意図される装置で行われてもよい。そのような装置に必要な構造上の条件は故に、短期間の使用と長期間の使用とで異なる。本明細書中で使用されるように、単数形「ａ」、「ａｎ」、及び「ｔｈｅ」は、その他に明白に定義されない限り、複数形を同様に含むように意図される。用語「含む（ｉｎｃｌｕｄｅｓ）」「含む（ｃｏｍｐｒｉｓｅｓ）」「含む（ｉｎｃｌｕｄｉｎｇ）」及び/又は「含む（ｃｏｍｐｒｉｓｉｎｇ）」は、本明細書中で使用される際、明示された特徴、整数、工程、オペレーション、要素及び/又は構成要素の存在を明示するが、1以上の他の特徴、整数、工程、オペレーション、要素、構成要素及び/又はそのグループの存在や添加を妨げない、ということがさらに理解されよう。要素が他の要素に「接続される」又は「結合される」と呼ばれる際に、それが別の要素又は介在する要素へ直接接続されるかカップルされる、又は介在する要素が存在することは、理解されるだろう。更に、本明細書中に使用されるように、「接続された」又は「結合された」は、無線で接続されるか連結されることを含み得る。本明細書中に使用されるように、用語「及び/又は」は、関連する列挙された１以上の品目のいずれか及び全ての組み合わせを含む。
【００８２】
特段定めのない限り、本開示で使用されるすべての用語（技術用語及び科学用語を含む）は、本発明が属する技術分野の当業者によって一般に理解されるのと同じ意味を有する。一般に用いられている辞書に定義されたもののように、用語は、関連技術の文脈においてそれらの意味と一致する意味を持っていると解釈されるべきであり、本明細書中で明白にそのように定義されない限り、理想化された又は過度に形式上の意味に解釈されない、ということがさらに理解されよう。
【００８３】
本開示は、特定の例に関して上述された。しかしながら、上述されたもの以外の例は、本開示の範囲内で等しく可能である。異なる方法の工程、又は上述されたもの以外の異なるその順序が、本開示の範囲内で提供され得る。本開示の異なる特色及び工程は、記載されたもの以外の他の組み合わせにおいて組み合わせられ得る。本開示の範囲は、添付の特許請求の範囲によってのみ限定される。
【図１Ａ】
2019217292.tif 000003
【図１Ｂ】
2019217292.tif 000004
【図２】
2019217292.tif 000005
【図３Ａ】
2019217292.tif 000006
【図３Ｂ】
2019217292.tif 000007
【図４Ａ】
2019217292.tif 000008
【図４Ｂ】
2019217292.tif 000009
【図５Ａ】
2019217292.tif 000010
【図５Ｂ】
2019217292.tif 000011
【図６Ａ】
2019217292.tif 000012
【図６Ｂ】
2019217292.tif 000013
【図７Ａ】
2019217292.tif 000014
【図７Ｂ】
2019217292.tif 000015
【図７Ｃ】
2019217292.tif 000016
【図８】
2019217292.tif 000017
【図９】
2019217292.tif 000018
【図１０】
2019217292.tif 000019
【図１１】
2019217292.tif 000020
【図１２Ａ】
2019217292.tif 000021
【図１２Ｂ】
2019217292.tif 000022
【図１３Ａ】
2019217292.tif 000023
【図１３Ｂ】
2019217292.tif 000024
【手続補正書】
【提出日】令和1年8月23日(2019.8.23)
【手続補正１】
【補正対象書類名】特許請求の範囲
【補正対象項目名】全文
【補正方法】変更
【補正の内容】
【特許請求の範囲】
【請求項１】
生体心臓弁の置換および／または修復のための医療システムであって、
人工弁と、
カテーテルと、
所望の位置で人工弁を保持しおよび／または安定させるために、腱索および／または弁尖を収集して配置するための装置と、を含み、
装置は、
人工弁を取り囲むための、および腱索を人工弁の方への位置でロックするためのクリップを含み、
前記クリップは、カテーテルから配置され得、
前記クリップは螺旋形として成形されていることを含む、医療システム。
【請求項２】
螺旋形は少なくとも２巻を含む、請求項１に記載の医療システム。
【請求項３】
螺旋形は少なくとも３巻を含む、請求項１に記載の医療システム。
【請求項４】
人工弁は拡張自在および／または折り畳み自在である、請求項１に記載の医療システム。
【請求項５】
クリップは別個の片であり、人工弁と一体とならない、請求項１に記載の医療システム。
【請求項６】
人工弁を運搬するための操縦可能なカテーテルをさらに含む、請求項１に記載の医療システム。
【請求項７】
クリップは人工弁の適所で回転できるように構成されている、請求項１に記載の医療システム。
【請求項８】
クリップは腱索を人工弁の方へと引っ張ることで腱索と心臓の心室壁との間に空間をつくるように構成されている、請求項１に記載の医療システム。
【請求項９】
押し出し機を含み、およびここでクリップはカテーテルから外に押し出されることによって配置され得、押出し機によって適所に配置され得るように構成されている、請求項１に記載の医療システム。
【外国語明細書】
2019217292000001.pdf